(57)【要約】【課題】フィルタを高効率に加熱して再生すること。【解決手段】脱臭フィルタ部２３ａと、脱臭フィルタ部２３ａの一部の表面を覆うように配置される放熱板２３ｃａ、２３ｃｂと、放熱板２３ｃａ、２３ｃｂを加熱することにより脱臭フィルタ部２３ａの一部を加熱するＰＴＣヒータ２３ｂと、脱臭フィルタ部２３ａの一部のうちの放熱板２３ｃａ、２３ｃｂにより覆われる部分が移動するように、放熱板２３ｃａ、２３ｃｂに対して脱臭フィルタ部２３ａを移動させる駆動部とを備えている。このとき、ＰＴＣヒータ２３ｂは、脱臭フィルタ部２３ａと平行な仮想平面３０に対してＰＴＣヒータ２３ｂを正射影した図形が、脱臭フィルタ部２３ａを仮想平面３０に正射影した図形に重ならないように、配置されている。【選択図】図１０
2018015719.tif 000002
【特許請求の範囲】
【請求項１】
板状に形成されるフィルタと、
前記フィルタの一部の表面を覆うように配置される放熱板と、
前記放熱板を加熱することにより前記フィルタの一部を加熱するヒータと、
前記放熱板に対して前記フィルタを移動させる駆動部とを備え、
前記ヒータは、前記フィルタと平行な仮想平面に対して前記ヒータを正射影した図形が、前記フィルタを前記仮想平面に正射影した図形に重ならないように、配置される
吸着ユニット。
【請求項２】
前記ヒータと前記フィルタとは、前記仮想平面に重なるように、配置される
請求項１に記載の吸着ユニット。
【請求項３】
前記フィルタを挟んで前記放熱板と対向するように配置される他の放熱板をさらに備え、
前記ヒータは、前記他の放熱板をさらに加熱することにより前記フィルタの一部を加熱する
請求項２に記載の吸着ユニット。
【請求項４】
前記フィルタは、貫通孔が形成され、
前記放熱板と前記他の放熱板とは、前記貫通孔を介して接触している
請求項３に記載の吸着ユニット。
【請求項５】
前記他の放熱板の形状は、前記放熱板の形状に等しい
請求項３または請求項４に記載の吸着ユニット。
【請求項６】
前記放熱板は、前記ヒータに接触する複数の突起が前記ヒータを囲むように形成される
請求項１〜請求項５のいずれか一項に記載の吸着ユニット。
【請求項７】
請求項１〜請求項６のいずれか一項に記載の吸着ユニットを備え、
前記フィルタは、空気が通過することにより前記空気に含有される臭気成分を吸着し、加熱されることにより前記臭気成分を分解する
空気清浄機。
【発明の詳細な説明】
【技術分野】
【０００１】
本発明の実施形態は、吸着ユニットおよび空気清浄機に関する。
【背景技術】
【０００２】
従来、室内の空気を脱臭フィルタに通過させることにより、空気に含まれる臭気成分を脱臭フィルタに吸着させ、脱臭フィルタを加熱することにより、脱臭フィルタの脱臭能力を再生させる空気清浄機が知られている。このような空気清浄機のなかには、脱臭フィルタが回転可能に設けられるとともに、脱臭フィルタの一部を加熱する加熱部を備えた空気清浄機がある（特許文献１、２参照）。
【先行技術文献】
【特許文献】
【０００３】
【特許文献１】特開２０１６−４３１０５号公報
【特許文献２】特開平１０−２７７３６５号公報
【発明の概要】
【発明が解決しようとする課題】
【０００４】
しかしながら、このような空気清浄機は、脱臭フィルタを通過する空気により加熱部が冷却され、脱臭フィルタを加熱する効率が低下し、脱臭フィルタを再生する効率が低下するという問題がある。
【０００５】
開示の技術は、かかる点に鑑みてなされたものであって、フィルタを高効率に加熱する吸着ユニットおよび空気清浄機を提供することを目的とする。
【課題を解決するための手段】
【０００６】
開示の態様では、吸着ユニットは、板状に形成されるフィルタと、フィルタの一部の表面を覆うように配置される放熱板と、放熱板を加熱することによりフィルタの一部を加熱するヒータと、駆動部とを備えている。駆動部は、放熱板に対してフィルタを移動させる。ヒータは、フィルタと平行な仮想平面に対してヒータを正射影した図形が、フィルタを仮想平面に正射影した図形に重ならないように、配置される。
【発明の効果】
【０００７】
開示の吸着ユニットおよび空気清浄機は、フィルタを高効率に加熱することができる。
【図面の簡単な説明】
【０００８】
【図１】図１は、実施形態の空気清浄機の外観を示す斜視図である。
【図２】図２は、実施形態の空気清浄機を示す上面図である。
【図３】図３は、図１におけるＸ−Ｘ断面図である。
【図４】図４は、図１におけるＹ−Ｙ断面図である。
【図５】図５は、実施形態の吸着ユニットを示す斜視図である。
【図６】図６は、実施形態の吸着ユニットを示す分解斜視図である。
【図７】図７は、脱臭フィルタ部を示す斜視図である。
【図８Ａ】図８Ａは、図７におけるＤ−Ｄ断面斜視図である。
【図８Ｂ】図８Ｂは、図７におけるＤ−Ｄ断面図である。
【図９】図９は、内周部フィルタカバーを示す断面図である。
【図１０】図１０は、フィルタ再生部を示す断面図である。
【図１１】図１１は、フィルタ再生部を示す分解斜視図である。
【図１２】図１２は、比較例の吸着ユニットを示す断面図である。
【図１３】図１３は、比較例の吸着ユニットの脱臭フィルタ部を示す断面斜視図である。
【図１４】図１４は、比較例の吸着ユニットの脱臭フィルタ部を示す断面図である。
【図１５】図１５は、実施例２の吸着ユニットのフィルタ再生部を示す断面図である。
【図１６】図１６は、実施例３の吸着ユニットのフィルタ再生部を示す断面図である。
【図１７】図１７は、実施例４の吸着ユニットのフィルタ再生部を示す断面図である。
【図１８】図１８は、実施例４の吸着ユニットの背面側放熱板を示す斜視図である。
【図１９】図１９は、実施例４の吸着ユニットのフィルタ再生部を示す斜視図である。
【発明を実施するための形態】
【０００９】
以下に、本願が開示する実施形態にかかる吸着ユニットおよび空気清浄機について、図面を参照して説明する。なお、以下の記載により本発明が限定されるものではない。また、以下の記載においては、同一の構成要素に同一の符号を付与し、重複する説明を省略する。
【実施例１】
【００１０】
［空気清浄機］
図１は、実施形態の空気清浄機の外観を示す斜視図である。一実施形態である空気清浄機１は、図１に示されているように、本体筐体１１と前面パネル１２とフロントパネル１３とリアパネル１４とを備えている。本体筐体１１は、合成樹脂材で成形され、略直方体状に形成されている。本体筐体１１は、天面パネル１１ａと右側面パネル１１ｂと左側面パネル１１ｃと底部１１ｄとを備えている。底部１１ｄは、本体筐体１１の下部を形成し、空気清浄機１が設置される設置面に載置される。右側面パネル１１ｂと左側面パネル１１ｃとは、互いに対向するように配置されることにより本体筐体１１の側面を形成し、それぞれ、下端が底部１１ｄに接合されている。天面パネル１１ａは、本体筐体１１の上部を形成し、右側面パネル１１ｂの上端と左側面パネル１１ｃの上端とに接合されている。前面パネル１２は、本体筐体１１の前面に配置されている。フロントパネル１３は、前面パネル１２の前方に配置されている。
【００１１】
フロントパネル１３と前面パネル１２との間には、上面吸込口１３ａと右側面吸込口１３ｂと左側面吸込口１３ｃと下側吸込口１３ｄとが形成されている。上面吸込口１３ａは、フロントパネル１３の上側に配置されている。右側面吸込口１３ｂは、フロントパネル１３の右側面パネル１１ｂの側に配置されている。左側面吸込口１３ｃは、フロントパネル１３の左側面パネル１１ｃの側に配置されている。下側吸込口１３ｄは、フロントパネル１３の底部１１ｄの側に配置されている。
【００１２】
空気清浄機１は、操作部１５をさらに備えている。操作部１５は、上面吸込口１３ａの一部を覆うように、空気清浄機１の上面に配置されている。操作部１５は、ボタンと表示部とを備えている。ボタンは、電源ボタンや運転モード切り換えボタン等を備え、空気清浄機１を操作するときに利用される。表示部は、空気清浄機１の運転状態や図示しない塵埃センサ等の検出器における検出結果が表示される。
【００１３】
図２は、実施形態の空気清浄機を示す上面図である。リアパネル１４は、合成樹脂材で成形され、図２に示されているように、前面パネル１２が配置される前面の反対側の背面に配置されている。本体筐体１１とリアパネル１４との間には、上面吹出口１４ａと右側面吹出口１４ｂと左側面吹出口１４ｃとが形成されている。上面吹出口１４ａは、リアパネル１４の天面パネル１１ａの側に配置されている。右側面吹出口１４ｂは、リアパネル１４の右側面パネル１１ｂの側に配置されている。左側面吹出口１４ｃは、リアパネル１４の左側面パネル１１ｃの側に配置されている。
【００１４】
空気清浄機１は、上面吸込口１３ａと右側面吸込口１３ｂと左側面吸込口１３ｃと下側吸込口１３ｄとから本体筐体１１に吸い込んだ空気を、上面吹出口１４ａと右側面吹出口１４ｂと左側面吹出口１４ｃとから吹き出す間に、空気の除塵処理、加湿処理および脱臭処理を行う。
なお、本明細書では、以降の説明において、本体筐体１１の前面パネル１２が配置される側が「前面側」と記載され、本体筐体１１のリアパネル１４が配置される側が「背面側」と記載される。
【００１５】
図３は、図１におけるＸ−Ｘ断面図である。本体筐体１１は、図３に示されているように、内部に通風路１０が形成されている。通風路１０は、上面吸込口１３ａと右側面吸込口１３ｂと左側面吸込口１３ｃと下側吸込口１３ｄとを、上面吹出口１４ａと右側面吹出口１４ｂと左側面吹出口１４ｃとに連通している。
【００１６】
空気清浄機１は、さらに、プレフィルタ２１と集塵ユニット２２と脱臭ユニット２３と加湿ユニット２４と送風機２５とを備えている。プレフィルタ２１と集塵ユニット２２と脱臭ユニット２３と加湿ユニット２４と送風機２５とは、本体筐体１１の内部の通風路１０に配置されている。
【００１７】
プレフィルタ２１は、例えば糸状のＰＥＴ材が編みこまれた網目構造体から形成されている。プレフィルタ２１は、通風路１０の前面側に配置されている。プレフィルタ２１は、上面吸込口１３ａと右側面吸込口１３ｂと左側面吸込口１３ｃと下側吸込口１３ｄとから本体筐体１１の内部の通風路１０に吸い込まれる空気に含まれる塵埃を捕集する。
【００１８】
集塵ユニット２２は、通風路１０のうちのプレフィルタ２１の背面側に配置されている。本体筐体１１は、さらに、仕切板１６を備えている。仕切板１６は、フロントパネル１３の背面側に配置され、本体筐体１１の一部を形成している。集塵ユニット２２は、第１電気集塵機２２ａと第２電気集塵機２２ｂとを備えている。第１電気集塵機２２ａと第２電気集塵機２２ｂとは、上下方向に並べられ、仕切板１６に支持されている。第１電気集塵機２２ａと第２電気集塵機２２ｂとは、それぞれ、図示しない筐体と放電電極と集塵電極とを備えている。筐体は、内部に放電電極と集塵電極とを支持している。放電電極は、プレフィルタ２１で捕集されなかった細かな塵埃や花粉等をコロナ放電により帯電させる。集塵電極は、放電電極により帯電された塵埃や花粉等を捕集する。集塵ユニット２２は、第１電気集塵機２２ａと第２電気集塵機２２ｂとが、放電電極と集塵電極と筐体とで形成されていることにより、例えば不織布をプリーツ形状に形成してなる他の集塵フィルタに比べて、空気抵抗が小さい。
【００１９】
脱臭ユニット２３は、通風路１０のうちのプレフィルタ２１の背面側に配置されている。加湿ユニット２４は、通風路１０のうちの脱臭ユニット２３の背面側に配置されている。加湿ユニット２４は、加湿フィルタ２４ａと貯水タンク２４ｂとを備えている。貯水タンク２４ｂは、水を貯留する。加湿フィルタ２４ａは、円板形状に形成され、貯水タンク２４ｂに溜められた水に一部が浸るように配置されている。加湿フィルタ２４ａは、さらに、貯水タンク２４ｂに溜められた水に浸る部分が移動するように、回転軸により回転可能に支持され、図示しないモータにより回転される。加湿ユニット２４は、貯水タンク２４ｂに溜められた水により湿らされた加湿フィルタ２４ａに空気を通じることにより、通風路１０を流れる空気を加湿する。
なお、加湿ユニット２４は、上記に限らず、貯水タンク２４ｂに溜められた水を回転により吸い上げる加湿フィルタ２４ａが、貯水タンク２４ｂに溜められた水を毛細管現象により吸い上げる他の加湿フィルタに置換されてもよい。
【００２０】
送風機２５は、通風路１０のうちの加湿ユニット２４の背面側に配置されている。送風機２５は、ターボファン２５ａとファンモータ２５ｂとを備えている。ファンモータ２５ｂは、回転数可変であり、ターボファン２５ａを回転させる。ターボファン２５ａは、合成樹脂材で形成され、ファンモータ２５ｂの出力軸に接続されている。ターボファン２５ａは、回転することにより、上面吸込口１３ａと右側面吸込口１３ｂと左側面吸込口１３ｃと下側吸込口１３ｄとから上面吹出口１４ａと右側面吹出口１４ｂと左側面吹出口１４ｃとに向かって空気を通風路１０に流入させる。すなわち、送風機２５は、上面吸込口１３ａと右側面吸込口１３ｂと左側面吸込口１３ｃと下側吸込口１３ｄとから空気清浄機１の内部へ空気を取り込み、通風路１０に空気を通過させる。送風機２５は、さらに、上面吹出口１４ａと右側面吹出口１４ｂと左側面吹出口１４ｃとを介して、通風路１０を通過した空気を空気清浄機１の外部に放出する。
【００２１】
送風機２５は、ファンモータ２５ｂの中心の高さＰが、集塵ユニット２２の第１電気集塵機２２ａと第２電気集塵機２２ｂとの間の空間の高さに一致するように、配置されている。ファンモータ２５ｂの中心付近は、ターボファン２５ａの回転による空気の流れが少ないために、通風路１０におけるファンモータ２５ｂの中心付近の空間での空気の流れが少ない。集塵ユニット２２は、第１電気集塵機２２ａと第２電気集塵機２２ｂとの間の空間を通過する空気に比較して、第１電気集塵機２２ａと第２電気集塵機２２ｂとを通過する空気に対する集塵能力が大きい。このため、集塵ユニット２２は、空気の流れが多い空間に第１電気集塵機２２ａと第２電気集塵機２２ｂとが配置されることにより、除塵を高効率に行うことができる。
【００２２】
図４は、図１におけるＹ−Ｙ断面図である。プレフィルタ２１は、図４に示されているように、中央が前面側に向かって凸となるようなアーチ形状に形成されている。このため、プレフィルタ２１は、プレフィルタ２１を平坦な形状とする場合と比べて、上面吸込口１３ａと右側面吸込口１３ｂと左側面吸込口１３ｃと下側吸込口１３ｄとから本体筐体１１の内部に吸い込まれた空気がプレフィルタ２１を通過する面積が大きい。この結果、プレフィルタ２１は、上面吸込口１３ａと右側面吸込口１３ｂと左側面吸込口１３ｃと下側吸込口１３ｄとから本体筐体１１の内部に吸い込まれた空気から、より多くの塵埃を捕集することができる。
【００２３】
［吸着ユニット］
図５は、実施形態の吸着ユニットを示す斜視図である。実施形態の吸着ユニットである脱臭ユニット２３は、図５に示されているように、脱臭フィルタ部２３ａとフィルタ再生部２３ｆと保持部２３ｇとを備えている。脱臭フィルタ部２３ａは、円板状に形成されている。フィルタ再生部２３ｆは、略三角柱形状に形成され、脱臭フィルタ部２３ａの一部の両面を覆っている。保持部２３ｇは、本体筐体１１に固定され、脱臭フィルタ部２３ａとフィルタ再生部２３ｆとを支持している。
【００２４】
図６は、実施形態の吸着ユニットを示す分解斜視図である。保持部２３ｇは、合成樹脂材から形成され、図６に示されているように、略四角形状に形成され、中央に脱臭フィルタ部２３ａの形状に応じた開口部２３ｇｄが形成されている。保持部２３ｇは、さらに、開口部２３ｇｄの上方（保持部２３ｇを通風路１０に配置したときに上側となる箇所。以下、「上方」と記載）には、フィルタ再生部２３ｆの形状に応じて凹形状に形成された再生部収納部２３ｇｅが形成されている。
【００２５】
脱臭ユニット２３は、さらに、２個のローラ２３ｍと回転検出用歯車２３ｋと回転検出部２３ｒと駆動部２３ｈと駆動歯車２３ｊと４枚の押さえ部材２３ｚとを備えている。２個のローラ２３ｍの各々は、合成樹脂材から形成され、筒部２３ｍｂと上フランジ２３ｍｃと下フランジ２３ｍｄとを備えている。筒部２３ｍｂは、円筒形状に形成され、孔２３ｍａが形成されている。上フランジ２３ｍｃと下フランジ２３ｍｄとは、各々筒部２３ｍｂより大きい直径の円板形状に形成され、筒部２３ｍｂの両端から外側に張り出すように形成されている。保持部２３ｇは、２本の第１軸２３ｇａが形成されている。２本の第１軸２３ｇａは、保持部２３ｇの下方（保持部２３ｇを通風路１０に配置したときに下側となる箇所。以下、「下方」と記載）の両隅に配置されている。２本の第１軸２３ｇａは、それぞれ、２個のローラ２３ｍの孔２３ｍａに挿入されることにより、２個のローラ２３ｍを回転自在に支持している。
【００２６】
回転検出用歯車２３ｋは、合成樹脂材で形成されている。保持部２３ｇは、さらに、第２軸２３ｇｂが形成されている。第２軸２３ｇｂは、再生部収納部２３ｇｅの左側（脱臭フィルタ部２３ａを前面側から見た場合の左側）に配置されている。第２軸２３ｇｂは、回転検出用歯車２３ｋが挿入されることにより、回転検出用歯車２３ｋを回動自在に支持している。回転検出部２３ｒは、回転検出用歯車２３ｋの回転を検出する。回転検出部２３ｒとしては、例えばフォトインタラプタが例示される。フォトインタラプタは、物体を介して互いに対向する発光部と受光部とを備え、発光部から発光された光を受光部で検出することにより、物体の有無や位置を判定する。
【００２７】
駆動歯車２３ｊは、合成樹脂材で形成されている。駆動部２３ｈは、例えばステッピングモータから形成され、その出力軸に駆動歯車２３ｊが取り付けられている。保持部２３ｇは、さらに、駆動部固定部２３ｇｃが形成されている。駆動部固定部２３ｇｃは、再生部収納部２３ｇｅの右側（脱臭フィルタ部２３ａを前面側から見た場合の右側）に配置され、駆動部２３ｈを支持している。駆動部２３ｈは、駆動歯車２３ｊを回転させる。
【００２８】
４枚の押さえ部材２３ｚは、合成樹脂材から形成され、略五角形状の板材に形成され、保持部２３ｇに嵌め込まれることができる形状に形成されている。押さえ部材２３ｚは、２個のローラ２３ｍと回転検出用歯車２３ｋと駆動部２３ｈと駆動歯車２３ｊとが保持部２３ｇに装着された後に、保持部２３ｇに嵌め込まれる。押さえ部材２３ｚは、保持部２３ｇに嵌め込まれることにより、２個のローラ２３ｍと回転検出用歯車２３ｋと駆動部２３ｈと駆動歯車２３ｊとを押さえて、保持部２３ｇから外れないように支持している。
【００２９】
図７は、脱臭フィルタ部を示す斜視図である。脱臭フィルタ部２３ａは、図７に示されているように、脱臭フィルタ２３ａａと外周部フィルタカバー２３ａｃと内周部フィルタカバー２３ａｅとを備えている。
【００３０】
脱臭フィルタ２３ａａは、円板形状に形成され、中央に貫通孔２３ａｄが形成されている。脱臭フィルタ２３ａａは、脱臭フィルタ２３ａａの厚さ方向に空気が通過するように形成されている。脱臭フィルタ２３ａａは、通過する空気から臭気成分を吸着し、加熱されることによりその吸着された臭気成分を分解する。たとえば、脱臭フィルタ２３ａａは、図示されていない基材と触媒層とを備えている。基材は、アルミニウム等の板材から形成され、ハニカム構造に例示される多孔構造に形成されている。触媒層は、触媒から形成され、基材の表面を被覆している。その触媒は、触媒層の近傍を流れる空気から臭気成分を吸着し、加熱されることによりその吸着された臭気成分を分解する。脱臭フィルタ２３ａａは、多孔構造に形成されていることにより、また、フィルタ再生部２３ｆが脱臭フィルタ２３ａａの一部を覆い大部分を覆っていないことにより、空気抵抗が小さい。
【００３１】
外周部フィルタカバー２３ａｃは、概ね円環状に形成され、脱臭フィルタ２３ａａの外周部に配置され、脱臭フィルタ２３ａａの外周部の端面（フィルタ端面４３、図８Ｂ参照）を保護している。内周部フィルタカバー２３ａｅは、概ね円環状に形成され、脱臭フィルタ２３ａａの貫通孔２３ａｄの内部に配置され、脱臭フィルタ２３ａａのうちの貫通孔２３ａｄを形成する端面（貫通孔端面４４、図９参照）を保護している。
【００３２】
図８Ａは、図７におけるＤ−Ｄ断面斜視図である。外周部フィルタカバー２３ａｃは、図８Ａに示されているように、第１外周部フィルタカバー部３１と第２外周部フィルタカバー部３２とを備えている。第１外周部フィルタカバー部３１は、第１筒部３３と歯車部３４と第１歯車フランジ部３５とを備えている。第１筒部３３は、筒状に形成されている。歯車部３４は、複数の歯３４１から形成され、第１筒部３３の外周面３３１に接合されている。第１歯車フランジ部３５は、第１筒部３３の一端から外側に張り出すように形成されている。第１歯車フランジ部３５は、第１筒部３３の一端から外側に張り出しており、第１歯車フランジ部３５の歯車部側側面３５１が歯車部３４に接合されている。
【００３３】
第２外周部フィルタカバー部３２は、第２筒部３６と第２歯車フランジ部３７とを備えている。第２筒部３６は、筒状に形成されている。第２歯車フランジ部３７は、第２筒部３６の一端から外側に張り出すように形成されている。第２筒部３６は、さらに、複数の孔３８が形成されている。
【００３４】
図８Ｂは、図７におけるＤ−Ｄ断面図である。第１外周部フィルタカバー部３１の第１筒部３３は、図８Ｂに示されているように、第１筒部３３の内周面３３２から突出している複数の爪３９が形成されている。第２外周部フィルタカバー部３２は、第２筒部３６が第１筒部３３の内側に挿入されたときに、第１筒部３３の複数の爪３９が複数の孔３８にそれぞれ嵌合される。第２外周部フィルタカバー部３２は、第２筒部３６が第１筒部３３の内側に嵌合されることにより、第１外周部フィルタカバー部３１に固定される。すなわち、外周部フィルタカバー２３ａｃは、第２筒部３６の外周面３６１が第１外周部フィルタカバー部３１の第１筒部３３の内周面３３２と対向するように、第２外周部フィルタカバー部３２が第１外周部フィルタカバー部３１に取りつけられることにより、形成される。第２歯車フランジ部３７は、第２外周部フィルタカバー部３２が第１外周部フィルタカバー部３１に取りつけられることにより、歯車部３４のうちの第１歯車フランジ部３５により覆われる側面の反対側の側面を覆っている。
【００３５】
外周部フィルタカバー２３ａｃは、背面側放熱板対向面４５と前面側放熱板対向面４６とフィルタ端面対向面４７とが形成されている。外周部フィルタカバーの背面側放熱板対向面４５は、第１歯車フランジ部３５のうちの歯車部３４の側の歯車部側側面３５１の反対側に形成され、平坦に形成されている。外周部フィルタカバーの前面側放熱板対向面４６は、第２歯車フランジ部３７のうちの歯車部３４の側の歯車部側側面３７１の反対側に形成され、平坦に形成されている。フィルタ端面対向面４７は、第２筒部３６の内周側に形成されている。
【００３６】
脱臭フィルタ２３ａａは、背面側放熱板対向面４１と前面側放熱板対向面４２とフィルタ端面４３とが形成されている。脱臭フィルタの背面側放熱板対向面４１は、脱臭フィルタ２３ａａの一方の側に形成され、平坦に形成されている。脱臭フィルタの前面側放熱板対向面４２は、脱臭フィルタ２３ａａのうちの他方の側に形成され、平坦に形成されている。フィルタ端面４３は、脱臭フィルタ２３ａａの外周に形成され、脱臭フィルタの背面側放熱板対向面４１と脱臭フィルタの前面側放熱板対向面４２との間に形成されている。
【００３７】
外周部フィルタカバー２３ａｃは、厚さが脱臭フィルタ２３ａａの厚さと等しくなるように、形成されている。すなわち、外周部フィルタカバー２３ａｃは、外周部フィルタカバーの背面側放熱板対向面４５と外周部フィルタカバーの前面側放熱板対向面４６との距離が、脱臭フィルタの背面側放熱板対向面４１と脱臭フィルタの前面側放熱板対向面４２との距離と等しくなるように、形成されている。
【００３８】
外周部フィルタカバー２３ａｃは、脱臭フィルタ２３ａａのフィルタ端面４３がフィルタ端面対向面４７に対向して密着するように、脱臭フィルタ２３ａａに取りつけられている。外周部フィルタカバー２３ａｃは、脱臭フィルタ２３ａａに取りつけられたときに、フィルタ端面４３とフィルタ端面対向面４７とが嵌合することにより、脱臭フィルタ２３ａａに固定される。外周部フィルタカバーの背面側放熱板対向面４５は、さらに、外周部フィルタカバー２３ａｃが脱臭フィルタ２３ａａに取りつけられたときに、脱臭フィルタの背面側放熱板対向面４１と略同一平面上となるように、配置される。外周部フィルタカバーの前面側放熱板対向面４６は、外周部フィルタカバー２３ａｃが脱臭フィルタ２３ａａに取りつけられたときに、脱臭フィルタの前面側放熱板対向面４２と略同一平面上となるように、配置される。
【００３９】
図９は、内周部フィルタカバーを示す断面図であり、図７におけるＤ−Ｄ断面を示している。内周部フィルタカバー２３ａｅに関しても、内周部フィルタカバー２３ａｅの厚さ方向の長さが脱臭フィルタ２３ａａの厚さと等しくなるように、形成されている。すなわち、内周部フィルタカバー２３ａｅは、背面側放熱板対向面４８と前面側放熱板対向面４９と貫通孔端面対向面５０とが形成されている。内周部フィルタカバーの背面側放熱板対向面４８は、内周部フィルタカバー２３ａｅの一方の側に形成され、平坦に形成されている。内周部フィルタカバーの前面側放熱板対向面４９は、内周部フィルタカバー２３ａｅの他方の側に形成され、平坦に形成されている。貫通孔端面対向面５０は、内周部フィルタカバー２３ａｅの外周面である。内周部フィルタカバー２３ａｅは、脱臭フィルタ２３ａａの貫通孔２３ａｄの貫通孔端面４４が貫通孔端面対向面５０に対向して密着するように、脱臭フィルタ２３ａａに取りつけられている。内周部フィルタカバー２３ａｅは、脱臭フィルタ２３ａａに取りつけられたときに、脱臭フィルタ２３ａａの貫通孔２３ａｄの端面と内周部フィルタカバー２３ａｅの外周面とが嵌合することにより、脱臭フィルタ２３ａａに固定される。このとき、内周部フィルタカバーの背面側放熱板対向面４８は、脱臭フィルタの背面側放熱板対向面４１と同一平面上に配置され、内周部フィルタカバーの前面側放熱板対向面４９は、脱臭フィルタの前面側放熱板対向面４２と同一平面上に配置される。
【００４０】
脱臭フィルタ部２３ａは、２個のローラ２３ｍの上フランジ２３ｍｃと下フランジ２３ｍｄとの間に外周部フィルタカバー２３ａｃが挟まれることにより、回転可能に保持部２３ｇに保持される。脱臭フィルタ部２３ａは、回転可能に保持部２３ｇに保持されているときに、外周部フィルタカバー２３ａｃの歯車部３４が、回転検出用歯車２３ｋと駆動歯車２３ｊとに噛みあうように、配置される。このため、駆動部２３ｈは、駆動歯車２３ｊを回転させることにより、脱臭フィルタ部２３ａを回転させる。回転検出部２３ｒは、回転検出用歯車２３ｋの回転を検出することにより、脱臭フィルタ部２３ａの回転を検出する。
【００４１】
図１０は、フィルタ再生部を示す断面図であり、図６のＥ−Ｅ断面を示している。フィルタ再生部２３ｆは、図１０に示されているように、ケース２３ｅと放熱板２３ｃとＰＴＣ（Ｐｏｓｉｔｉｖｅ  Ｔｅｍｐｅｒａｔｕｒｅ  Ｃｏｅｆｆｉｃｉｅｎｔ）ヒータ２３ｂとを備えている。ケース２３ｅは、略三角柱形状の箱状に形成され、内部に脱臭フィルタ部２３ａの一部を格納している。ケース２３ｅは、前面側ケース２３ｅａと背面側ケース２３ｅｂとを備えている。前面側ケース２３ｅａは、ケース２３ｅの前面側の部分を形成している。背面側ケース２３ｅｂは、ケース２３ｅの背面側の部分を形成している。
【００４２】
放熱板２３ｃは、前面側放熱板２３ｃａと背面側放熱板２３ｃｂとを備えている。前面側放熱板２３ｃａは、ケース２３ｅの内部に格納され、脱臭フィルタ部２３ａのうちのケース２３ｅに格納される一部を前面側から覆っている。背面側放熱板２３ｃｂは、ケース２３ｅの内部に格納され、脱臭フィルタ部２３ａのうちのケース２３ｅに格納される一部を背面側から覆っている。
【００４３】
ＰＴＣヒータ２３ｂは、通電されることにより発熱し、温度上昇により抵抗値が増加する性質を利用して、発熱量を自己制御する。ＰＴＣヒータ２３ｂは、ケース２３ｅの内部に格納され、脱臭フィルタ部２３ａの外周側に配置され、前面側放熱板２３ｃａと背面側放熱板２３ｃｂとの間に配置されている。ＰＴＣヒータ２３ｂは、板状に形成された脱臭フィルタ部２３ａが仮想平面３０に沿って重なるように配置されているときに、脱臭フィルタ部２３ａと平行な仮想平面３０に対して重なるように、配置されている。図１０では、脱臭フィルタ部２３ａが仮想平面３０に沿って重なるように配置されているので、ＰＴＣヒータ２３ｂは、脱臭フィルタ部２３ａの外周側に配置されている。すなわち、ＰＴＣヒータ２３ｂは、ＰＴＣヒータ２３ｂを仮想平面３０に正射影した図形が、脱臭フィルタ部２３ａを仮想平面３０に正射影した図形に重ならないように、配置されている。
【００４４】
図１１は、フィルタ再生部を示す分解斜視図である。前面側放熱板２３ｃａは、熱伝導性が良好である材料から形成されている。その材料としては、アルミニウム材またはアルミ合金材が例示される。前面側放熱板２３ｃａは、図１１に示されているように、脱臭フィルタ部２３ａの前面側に配置されている。前面側放熱板２３ｃａは、脱臭フィルタ部２３ａの貫通孔２３ａｄから外周側に向かうにつれて左右方向（脱臭フィルタ部２３ａの円周方向）の幅寸法が大きくなるような略三角形状に形成されている。前面側放熱板２３ｃａは、フィルタ対向面２３ｃａａとカバー対向面２３ｃａｂとが形成されている。フィルタ対向面２３ｃａａは、前面側放熱板２３ｃａの一方の面であり、カバー対向面２３ｃａｂは、前面側放熱板２３ｃａの他方の面である。
【００４５】
背面側放熱板２３ｃｂは、脱臭フィルタ部２３ａの背面側に配置され、脱臭フィルタ部２３ａの貫通孔２３ａｄから外周側に向かうにつれて左右方向（脱臭フィルタ部２３ａの円周方向）の幅寸法が大きくなるような略三角形状に形成されている。背面側放熱板２３ｃｂは、本体部２３ｃｃと接合部２３ｃｅとを備えている。本体部２３ｃｃは、略三角形状に形成されている。本体部２３ｃｃは、フィルタ対向面２３ｃｃａとカバー対向面２３ｃｃｂとが形成されている。フィルタ対向面２３ｃｃａは、背面側放熱板２３ｃｂの一方の面であり、カバー対向面２３ｃｃｂは、フィルタ対向面２３ｃｃａの他方の面である。接合部２３ｃｅは、本体部２３ｃｃの脱臭フィルタ部２３ａにおける内周側の側縁部を略Ｌ字状に折り曲げて形成されて、フィルタ対向面２３ｃｃａの側に突出し、接合面２３ｃｅａが形成されている。
【００４６】
ＰＴＣヒータ２３ｂは、前面側放熱板２３ｃａのフィルタ対向面２３ｃａａのうちの脱臭フィルタ部２３ａにおける外周側の側縁部に、たとえば、図示されていないねじ等を用いて固定される。前面側放熱板２３ｃａは、フィルタ対向面２３ｃａａが脱臭フィルタ部２３ａに対向するように配置されている。背面側放熱板２３ｃｂは、フィルタ対向面２３ｃｃａが脱臭フィルタ部２３ａに対向するように配置され、接合部２３ｃｅが脱臭フィルタ部２３ａの貫通孔２３ａｄに挿入されている。背面側放熱板２３ｃｂは、図示されていないねじ等を用いて、接合部２３ｃｅの接合面２３ｃｅａが前面側放熱板２３ｃａの脱臭フィルタ部２３ａにおける内周側の側縁部に接合されることにより、前面側放熱板２３ｃａに固定される。
【００４７】
前面側ケース２３ｅａは、合成樹脂材から形成され、前面側放熱板２３ｃａより一回り大きい略三角形状に形成されている。前面側ケース２３ｅａは、加熱部収納部２３ｅｃと貫通孔被覆部２３ｓと一対の前面側第１フランジ２３ｔと一対の前面側第２フランジ２３ｕとを備えている。加熱部収納部２３ｅｃは、前面側放熱板２３ｃａが格納される箱状に形成され、底部２３ｅｃａと第１側部２３ｅｃｂと第２側部２３ｅｃｃと第３側部２３ｅｃｄと第４側部２３ｅｃｅとを備えている。底部２３ｅｃａは、略三角形の板状に形成されている。第１側部２３ｅｃｂと第２側部２３ｅｃｃと第３側部２３ｅｃｄと第４側部２３ｅｃｅとは、前面側放熱板２３ｃａの端面に対向するように、それぞれ、底部２３ｅｃａの外周部から立設するように形成されている。すなわち、第１側部２３ｅｃｂは、底部２３ｅｃａの外周部のうちの、脱臭フィルタ部２３ａの貫通孔２３ａｄ側に配置される部分から立設されている。第４側部２３ｅｃｅは、底部２３ｅｃａの外周部のうちの、脱臭フィルタ部２３ａの外周側に配置される部分から立設されている。第２側部２３ｅｃｃと第３側部２３ｅｃｄとは、上記以外の底部２３ｅｃａの外周部から各々立設されている。
【００４８】
貫通孔被覆部２３ｓは、貫通孔２３ａｄと同じ大きさかあるいは少し大きい円板形状に形成され、第１側部２３ｅｃｂの側端部を加熱部収納部２３ｅｃの外側に向けて延伸させて形成されている。一対の前面側第１フランジ２３ｔおよび一対の前面側第２フランジ２３ｕは、第２側部２３ｅｃｃおよび第３側部２３ｅｃｄの各々の側端部を加熱部収納部２３ｅｃの外側に向けて延伸させて形成され、各々が所定の幅寸法（例えば、２０ｍｍ）とされている。
【００４９】
フィルタ再生部２３ｆは、さらに、３個のローラ２３ｎを備えている。３個のローラ２３ｎは、それぞれ、２個のローラ２３ｍと同様に形成され、すなわち、合成樹脂材から形成され、筒部と上フランジと下フランジとを備えている。３個のローラ２３ｎは、１個の内側ローラ２３ｎｉと２個の外側ローラ２３ｎｏとを含んでいる。
【００５０】
前面側ケース２３ｅａは、さらに、３本の第３軸２３ｑと３つの遮風板２３ｙとが形成されている。３本の第３軸２３ｑは、貫通孔被覆部２３ｓと一対の前面側第２フランジ２３ｕとからそれぞれ立設されている。３本の第３軸２３ｑのうちの貫通孔被覆部２３ｓから立設されている第３軸は、内側ローラ２３ｎｉの孔に嵌合されて内側ローラ２３ｎｉを回転自在に支持している。３本の第３軸２３ｑのうちの一対の前面側第２フランジ２３ｕから立設されている２本の第３軸は、それぞれ、２個の外側ローラ２３ｎｏの孔に嵌合されて２個の外側ローラ２３ｎｏを回転自在に支持している。
【００５１】
３つの遮風板２３ｙは、脱臭フィルタ部２３ａに向けて突出するように、貫通孔被覆部２３ｓと一対の前面側第２フランジ２３ｕにそれぞれ立設されている。３つの遮風板２３ｙは、前面側ケース２３ｅａと背面側ケース２３ｅｂとが接合された際に、前面側ケース２３ｅａと背面側ケース２３ｅｂとで形成される空間と外部空間とを仕切っている。３つの遮風板２３ｙは、前面側ケース２３ｅａと背面側ケース２３ｅｂとで形成される空間と外部空間とを仕切ることにより、フィルタ再生部２３ｆに空気が流入して前面側放熱板２３ｃａや背面側放熱板２３ｃｂが冷却されることを防いでいる。
【００５２】
背面側ケース２３ｅｂは、前面側ケース２３ｅａと同様にして、合成樹脂材から形成され、背面側放熱板２３ｃｂより一回り大きい略三角形状に形成されている。背面側ケース２３ｅｂは、加熱部収納部２３ｅｄと貫通孔被覆部２３ｖと一対の背面側第１フランジ２３ｗと一対の背面側第２フランジ２３ｘとを備えている。加熱部収納部２３ｅｄは、背面側放熱板２３ｃｂが格納される有底の箱状に形成され、底部２３ｅｄａと第１側部２３ｅｄｂと第２側部２３ｅｄｃと第３側部２３ｅｄｄと第４側部２３ｅｄｅとを備えている。底部２３ｅｄａは、略三角形の板状に形成されている。第１側部２３ｅｄｂと第２側部２３ｅｄｃと第３側部２３ｅｄｄと第４側部２３ｅｄｅとは、それぞれ、背面側放熱板２３ｃｂの本体部２３ｃｃの端面に対向するように、底部２３ｅｄａの外周部から立設している。
【００５３】
貫通孔被覆部２３ｖは、背面側放熱板２３ｃｂの接合部２３ｃｅと対向するように形成され、貫通孔２３ａｄに対応した円板形状に形成されている。一対の背面側第１フランジ２３ｗおよび一対の背面側第２フランジ２３ｘは、第２側部２３ｅｄｃと第３側部２３ｅｄｄと一体に形成されている。
【００５４】
前面側ケース２３ｅａは、背面側ケース２３ｅｂに装着されることにより、ＰＴＣヒータ２３ｂと前面側放熱板２３ｃａと背面側放熱板２３ｃｂと脱臭フィルタ部２３ａの一部とが格納されるケース２３ｅに形成される。このとき、脱臭フィルタ部２３ａの外周部フィルタカバー２３ａｃは、２個の外側ローラ２３ｎｏの上フランジと下フランジとの間に嵌まる。また、脱臭フィルタ部２３ａの内周部フィルタカバー２３ａｅは、内側ローラ２３ｎｉの上フランジと下フランジとの間に嵌まる。脱臭フィルタ部２３ａは、外周部フィルタカバー２３ａｃが２個の外側ローラ２３ｎｏに嵌まり、内周部フィルタカバー２３ａｅが内側ローラ２３ｎｉに嵌まることにより、回転可能にフィルタ再生部２３ｆに支持される。
【００５５】
脱臭ユニット２３は、フィルタ再生部２３ｆが保持部２３ｇの再生部収納部２３ｇｅに格納されることにより、形成される。このとき、脱臭フィルタ部２３ａは、外周部フィルタカバー２３ａｃが２個のローラ２３ｍの上フランジ２３ｍｃと下フランジ２３ｍｄとの間に嵌まることにより、回転可能に保持部２３ｇに支持される。脱臭フィルタ部２３ａは、さらに、外周部フィルタカバー２３ａｃの歯車部３４が駆動歯車２３ｊに噛み合うことにより、駆動部２３ｈにより回転される。脱臭フィルタ部２３ａは、さらに、外周部フィルタカバー２３ａｃの歯車部３４が回転検出用歯車２３ｋに噛み合うことにより、回転検出部２３ｒにより回転が検出される。
【００５６】
［空気清浄機の動作］
空気清浄機１は、使用者により操作部１５が操作されることにより、運転が開始される。空気清浄機１は、運転が開始されると、送風機２５が駆動されるとともに、集塵ユニット２２の第１電気集塵機２２ａおよび第２電気集塵機２２ｂが通電され、加湿ユニット２４の加湿フィルタ２４ａが回転を開始する。空気清浄機１は、送風機２５が駆動されると、上面吸込口１３ａと右側面吸込口１３ｂと左側面吸込口１３ｃと下側吸込口１３ｄとから本体筐体１１の内部に空気が吸い込まれる。
【００５７】
本体筐体１１の内部に吸い込まれた空気は、上面吸込口１３ａと右側面吸込口１３ｂと左側面吸込口１３ｃと下側吸込口１３ｄとから、上面吹出口１４ａと右側面吹出口１４ｂと左側面吹出口１４ｃとに向かって通風路１０を流れる。通風路１０を流れる空気は、まず、プレフィルタ２１により塵埃が捕集される。プレフィルタ２１により塵埃が捕集された空気は、プレフィルタ２１で捕集されなかった細かな塵埃や花粉等が集塵ユニット２２により捕集される。集塵ユニット２２により塵埃が捕集された空気は、一部が脱臭ユニット２３に供給され、残りが加湿ユニット２４に供給される。
【００５８】
脱臭ユニット２３に供給された空気は、保持部２３ｇの開口部２３ｇｄを介して脱臭フィルタ２３ａａのうちのフィルタ再生部２３ｆにより覆われていない通風面に供給される。脱臭フィルタ２３ａａの通風面に供給された空気は、脱臭フィルタ２３ａａを通過することにより、臭気成分が除去され、脱臭される。このとき、脱臭ユニット２３の脱臭フィルタ２３ａａは、脱臭ユニット２３に供給された空気が、プレフィルタ２１と集塵ユニット２２とにより塵埃や花粉等が除去されていることにより、塵埃や花粉等によって目詰まりすることが防止される。
【００５９】
脱臭ユニット２３により脱臭された空気は、一部が加湿ユニット２４に供給され、残りが送風機２５に供給される。加湿ユニット２４に供給された空気は、加湿ユニット２４により加湿される。加湿ユニット２４により加湿された空気は、送風機２５に供給される。送風機２５に供給された空気は、上面吹出口１４ａと右側面吹出口１４ｂと左側面吹出口１４ｃとから吹き出される。
【００６０】
空気清浄機１は、運転しているときに、ＰＴＣヒータ２３ｂに継続して通電を行うとともに、駆動部２３ｈを駆動して脱臭フィルタ部２３ａを所定時間毎に所定角度回転させる。その所定時間は、脱臭フィルタ部２３ａの脱臭能力の再生に必要な時間であり、例えば２時間が例示される。その所定角度としては、３０度が例示される。空気清浄機１は、脱臭フィルタ部２３ａを回転させることにより、脱臭フィルタ２３ａａにおけるフィルタ再生部２３ｆで覆われる部分の脱臭能力を再生している。すなわち、空気清浄機１は、脱臭フィルタ２３ａａのフィルタ再生部２３ｆで覆われる場所の脱臭能力の再生を行いつつ、脱臭フィルタ２３ａａのフィルタ再生部２３ｆで覆われていない部分で空気を脱臭している。
【００６１】
［比較例の吸着ユニット］
図１２は、比較例の吸着ユニットを示す断面図である。比較例の吸着ユニットである脱臭ユニット１０１は、図１２に示されているように、脱臭フィルタ部１０２とフィルタ再生部１０３とを備えている。脱臭フィルタ部１０２は、円板状に形成され、中央に貫通孔１０８が形成されている。フィルタ再生部１０３は、ケース１０４と前面側放熱板１０５と背面側放熱板１０６とＰＴＣヒータ１０７とを備えている。ケース１０４は、略三角柱形状の箱状に形成され、内部に脱臭フィルタ部１０２の一部を格納している。
【００６２】
前面側放熱板１０５は、ケース１０４の内部に格納され、脱臭フィルタ部１０２のうちのケース１０４に格納される一部の前面側の表面を覆っている。背面側放熱板１０６は、ケース１０４の内部に格納され、脱臭フィルタ部１０２のうちのケース１０４に格納される一部の背面側の表面を覆っている。背面側放熱板１０６は、一端が脱臭フィルタ部１０２の外周側を通って、前面側放熱板１０５に接合されている。背面側放熱板１０６は、さらに、他端が脱臭フィルタ部１０２の貫通孔１０８に挿入され、前面側放熱板１０５に接合されている。
【００６３】
ＰＴＣヒータ１０７は、ケース１０４の内部に格納され、ＰＴＣヒータ１０７と脱臭フィルタ部１０２との間に前面側放熱板１０５が配置されるように、前面側放熱板１０５の前面側に配置されている。すなわち、ＰＴＣヒータ１０７は、脱臭フィルタ部１０２が仮想平面１０９に沿って重なるように配置されているときに、ＰＴＣヒータ１０７を仮想平面１０９に正射影した図形が、脱臭フィルタ部１０２を仮想平面１０９に正射影した図形に重なるように、配置されている。
【００６４】
ＰＴＣヒータ１０７は、前面側放熱板１０５を加熱することにより、背面側放熱板１０６も加熱する。ＰＴＣヒータ１０７は、前面側放熱板１０５と背面側放熱板１０６とを加熱することにより、脱臭フィルタ部１０２のうちの前面側放熱板１０５と背面側放熱板１０６とに覆われる部分を加熱する。
【００６５】
図１３は、比較例の吸着ユニットの脱臭フィルタ部を示す断面斜視図である。図１４は、比較例の吸着ユニットの脱臭フィルタ部を示す断面図である。脱臭フィルタ部１０２は、図１３に示されているように、脱臭フィルタ１１１と外周部フィルタカバー１１２とを備えている。脱臭フィルタ１１１は、既述の脱臭フィルタ２３ａａと同様に形成されている。外周部フィルタカバー１１２は、概ね円環状に形成され、脱臭フィルタ１１１の外周部に配置され、脱臭フィルタ１１１の外周部の端面を保護している。外周部フィルタカバー１１２は、第１外周部フィルタカバー部１３１と第２外周部フィルタカバー部１３２とを備えている。第１外周部フィルタカバー部１３１は、第１筒部１３３と歯車部１３４と第１歯車フランジ部１３５と第１フィルタフランジ部１４７とを備えている。第１筒部１３３は、筒状に形成されている。歯車部１３４は、複数の歯１３４１から形成され、第１筒部１３３の外周面に接合されている。第１歯車フランジ部１３５は、第１筒部１３３の一端から外側に張り出すように形成されている。第１歯車フランジ部１３５は、第１筒部１３３の一端から外側に張り出すことにより、歯車部１３４の一方の側面を覆っている。第１フィルタフランジ部１４７は、第１筒部１３３の一端から内側に張り出すように形成されている。
【００６６】
第２外周部フィルタカバー部１３２は、第２筒部１３６と第２歯車フランジ部１３７と第２フィルタフランジ部１４８とを備えている。第２筒部１３６は、筒状に形成されている。第２歯車フランジ部１３７は、第２筒部１３６の一端から外側に張り出すように形成されている。第２筒部１３６は、さらに、複数の孔１３８が形成されている。第２フィルタフランジ部１４８は、第２筒部１３６の一端から内側に張り出すように形成されている。
【００６７】
第１外周部フィルタカバー部１３１の第１筒部１３３は、図１４に示されているように、第１筒部１３３の内周面から突出している複数の爪１３９が形成されている。第２外周部フィルタカバー部１３２は、第２筒部１３６が第１筒部１３３の内側に挿入されたときに、第１筒部１３３の複数の爪１３９が複数の孔１３８にそれぞれ嵌合される。第２外周部フィルタカバー部１３２は、第２筒部１３６が第１筒部１３３の内側に嵌合されることにより、第１外周部フィルタカバー部１３１に固定される。すなわち、外周部フィルタカバー１１２は、第２筒部１３６の外周面が第１筒部１３３の内周面と対向するように、第２外周部フィルタカバー部１３２が第１外周部フィルタカバー部１３１に取りつけられることにより、形成される。第２歯車フランジ部１３７は、第２外周部フィルタカバー部１３２が第１外周部フィルタカバー部１３１に取りつけられることにより、歯車部１３４のうちの第１歯車フランジ部１３５により覆われる側面の反対側の側面を覆っている。
【００６８】
脱臭フィルタ１１１は、背面側放熱板対向面１４１と前面側放熱板対向面１４２とフィルタ端面１４３とが形成されている。脱臭フィルタの背面側放熱板対向面１４１は、脱臭フィルタ１１１の一方の側に形成され、平坦に形成されている。脱臭フィルタの前面側放熱板対向面１４２は、脱臭フィルタの背面側放熱板対向面１４１が形成される側の反対側に形成され、平坦に形成されている。フィルタ端面１４３は、脱臭フィルタ１１１の外周に形成され、脱臭フィルタの背面側放熱板対向面１４１と脱臭フィルタの前面側放熱板対向面１４２との間に形成されている。
【００６９】
外周部フィルタカバー１１２は、第２外周部フィルタカバー部１３２の第２筒部１３６の内周面が脱臭フィルタ１１１のフィルタ端面１４３に対向するように、脱臭フィルタ１１１に取りつけられている。外周部フィルタカバー１１２は、脱臭フィルタ１１１に取りつけられたときに、外周部フィルタカバー１１２の外周が第１フィルタフランジ部１４７と第２フィルタフランジ部１４８とに挟まれることにより、脱臭フィルタ１１１に固定される。
【００７０】
比較例の脱臭ユニット１０１は、ＰＴＣヒータ１０７が前面側放熱板１０５の前面側に配置されていることにより、脱臭フィルタ１１１を通過する空気によりＰＴＣヒータ１０７が冷却される。脱臭ユニット１０１は、通風路１０を流れる空気によりＰＴＣヒータ１０７が冷却されることにより、ＰＴＣヒータ１０７が前面側放熱板１０５と背面側放熱板１０６とを加熱する効率が低下する。
【００７１】
一方、本実施形態の脱臭ユニット２３は、ＰＴＣヒータ２３ｂが脱臭フィルタ部２３ａの外周側に配置されていることにより、脱臭フィルタ２３ａａを通過する空気から離れた位置にＰＴＣヒータ２３ｂが配置されている。脱臭ユニット２３は、脱臭フィルタ２３ａａを通過する空気から離れた位置にＰＴＣヒータ２３ｂが配置されていることにより、比較例の脱臭ユニット１０１に比較して、脱臭フィルタ２３ａａを通過する空気によりＰＴＣヒータ２３ｂが冷却されにくい。脱臭ユニット２３は、通風路１０を流れる空気によりＰＴＣヒータ２３ｂが冷却されにくいことにより、比較例の脱臭ユニット１０１に比較して、ＰＴＣヒータ２３ｂが前面側放熱板２３ｃａと背面側放熱板２３ｃｂとを加熱する効率を向上させることができる。また、脱臭ユニット２３は、ＰＴＣヒータ２３ｂが前面側放熱板２３ｃａと背面側放熱板２３ｃｂとが直に接触していることにより、高効率に加熱することができる。したがって、脱臭ユニット２３は、前面側放熱板２３ｃａと背面側放熱板２３ｃｂとを介して脱臭フィルタ２３ａａを加熱する効率を向上させることができる。脱臭ユニット２３は、脱臭フィルタ２３ａａを高効率に加熱することにより、脱臭フィルタ２３ａａから臭気成分を高効率に分解させることができ、脱臭フィルタ２３ａａを高効率に再生させることができる。
【００７２】
比較例の脱臭ユニット１０１は、さらに、脱臭フィルタ１１１の外周が第１フィルタフランジ部１４７と第２フィルタフランジ部１４８とに挟まれることにより、外周部フィルタカバー１１２に脱臭フィルタ１１１が固定されている。このため、前面側放熱板１０５は、第１フィルタフランジ部１４７の厚さより長い距離だけ脱臭フィルタ１１１から離れた位置に配置されている。背面側放熱板１０６は、第２フィルタフランジ部１４８の厚さより長い距離だけ脱臭フィルタ１１１から離れた位置に配置されている。
【００７３】
本実施形態の脱臭ユニット２３は、外周部フィルタカバーの背面側放熱板対向面４５と脱臭フィルタの背面側放熱板対向面４１とが面一に配置されていることにより、脱臭フィルタ２３ａａと背面側放熱板２３ｃｂとのクリアランスを小さくすることができる。脱臭ユニット２３は、外周部フィルタカバーの前面側放熱板対向面４６と脱臭フィルタの前面側放熱板対向面４２とが面一に配置されていることにより、脱臭フィルタ２３ａａと前面側放熱板２３ｃａとのクリアランスを小さくすることができる。脱臭ユニット２３は、脱臭フィルタ２３ａａと背面側放熱板２３ｃｂとのクリアランスを小さくし、脱臭フィルタ２３ａａと前面側放熱板２３ｃａとのクリアランスを小さくすることにより、脱臭フィルタ２３ａａの厚さ方向の幅を小さくすることができる。空気清浄機１は、脱臭ユニット２３の幅を小さくすることにより、小型化することができる。
【００７４】
また、脱臭ユニット２３は、脱臭フィルタ２３ａａと背面側放熱板２３ｃｂとのクリアランスを小さくすることにより、さらに、比較例の脱臭ユニット１０１に比較して、背面側放熱板２３ｃｂを介して脱臭フィルタ２３ａａを加熱する効率を向上させることができる。脱臭ユニット２３は、脱臭フィルタ２３ａａと前面側放熱板２３ｃａとのクリアランスを小さくすることにより、さらに、比較例の脱臭ユニット１０１に比較して、前面側放熱板２３ｃａを介して脱臭フィルタ２３ａａを加熱する効率を向上させることができる。脱臭ユニット２３は、脱臭フィルタ２３ａａを高効率に加熱することにより、脱臭フィルタ２３ａａから臭気成分を高効率に分解させることができ、脱臭フィルタ２３ａａを高効率に再生させることができる。
【００７５】
比較例の脱臭ユニット１０１の外周部フィルタカバー１１２は、さらに、脱臭フィルタ１１１の外周を挟むために、第１外周部フィルタカバー部１３１と第２外周部フィルタカバー部１３２との２つの部材から形成されている。
本実施形態の外周部フィルタカバー２３ａｃは、第１外周部フィルタカバー部３１と第２外周部フィルタカバー部３２との２つの部材から形成されているが、脱臭フィルタ２３ａａの外周を挟まないことにより、１つの部材から形成されてもよい。脱臭ユニット２３は、外周部フィルタカバー２３ａｃが１つの部材から形成されることにより、比較例の脱臭ユニット１０１に比較して、容易に作製されることができる。
【００７６】
［吸着ユニットの効果］
実施例１の吸着ユニットとしての脱臭ユニット２３は、脱臭フィルタ２３ａａと前面側放熱板２３ｃａとＰＴＣヒータ２３ｂと駆動部２３ｈとを備えている。脱臭フィルタ２３ａａは、仮想平面３０に重なるように配置されている。前面側放熱板２３ｃａは、脱臭フィルタ２３ａａの一部を前面側から覆うように配置されている。ＰＴＣヒータ２３ｂは、前面側放熱板２３ｃａを加熱することにより、脱臭フィルタ２３ａａの一部を加熱する。駆動部２３ｈは、脱臭フィルタ２３ａａのうちの前面側放熱板２３ｃａにより覆われる部分が移動するように、前面側放熱板２３ｃａに対して脱臭フィルタ２３ａａを移動させる。このとき、ＰＴＣヒータ２３ｂは、脱臭フィルタ２３ａａと平行な仮想平面３０に対してＰＴＣヒータ２３ｂを正射影した図形が、脱臭フィルタ２３ａａを仮想平面３０に正射影した図形に重ならないように、配置されている。
【００７７】
このような脱臭ユニット２３は、ＰＴＣヒータ２３ｂが脱臭フィルタ部２３ａの外周側に配置されることにより、脱臭フィルタ２３ａａを通過する空気によりＰＴＣヒータ２３ｂが冷却されにくく、ＰＴＣヒータ２３ｂの熱を放熱板に高効率に伝熱することができる。このような脱臭ユニット２３は、ＰＴＣヒータ２３ｂの熱が高効率に前面側放熱板２３ｃａに伝熱されることにより、脱臭フィルタ２３ａａを高効率に加熱することができる。このような脱臭ユニット２３は、脱臭フィルタ２３ａａを高効率に加熱することにより、脱臭フィルタ２３ａａを高効率に再生することができる。
【００７８】
実施例１の空気清浄機１は、このような脱臭ユニット２３を備えている。このとき、脱臭フィルタ２３ａａは、空気清浄機１の上面吸込口１３ａと右側面吸込口１３ｂと左側面吸込口１３ｃと下側吸込口１３ｄとから吸い込んだ空気が通過することによりその空気に含有される臭気成分を吸着し、加熱されることによりその臭気成分を分解して再生される。このような空気清浄機１は、脱臭ユニット２３が脱臭フィルタ２３ａａを高効率に加熱することができることにより、臭気成分を高効率に分解することができ、脱臭フィルタ２３ａａを高効率に再生することができる。
【００７９】
また、ＰＴＣヒータ２３ｂと脱臭フィルタ２３ａａとは、仮想平面３０に重なるように、配置されている。このような脱臭ユニット２３は、ＰＴＣヒータ２３ｂと脱臭フィルタ２３ａａとが同一の仮想平面に重なるように配置されることにより、通風方向の厚さを薄く形成することができる。
【００８０】
また、実施例１の吸着ユニットとしての脱臭ユニット２３は、脱臭フィルタ２３ａａを挟んで前面側放熱板２３ｃａと対向するように配置される背面側放熱板２３ｃｂをさらに備えている。このとき、ＰＴＣヒータ２３ｂは、背面側放熱板２３ｃｂをさらに加熱することにより、脱臭フィルタ２３ａａの一部を前面側と背面側の両側から加熱する。
【００８１】
このような脱臭ユニット２３は、ＰＴＣヒータ２３ｂが前面側放熱板２３ｃａと背面側放熱板２３ｃｂとを介して脱臭フィルタ２３ａａの一部を前面側と背面側の両側から加熱することにより、脱臭フィルタ２３ａａの一部を高効率に加熱することができる。このような脱臭ユニット２３は、脱臭フィルタ２３ａａの両面を加熱することにより、さらに、脱臭フィルタ２３ａａの前面側と背面側の温度むらを低減することができ、脱臭フィルタ２３ａａを適切に加熱することができる。
【００８２】
また、脱臭フィルタ２３ａａは、貫通孔２３ａｄが形成されている。このとき、前面側放熱板２３ｃａと背面側放熱板２３ｃｂとは、貫通孔２３ａｄを介して接触している。このような脱臭ユニット２３は、前面側放熱板２３ｃａと背面側放熱板２３ｃｂとが接触していることにより、前面側放熱板２３ｃａの温度と背面側放熱板２３ｃｂの温度との温度差を低減することができる。このような脱臭ユニット２３は、前面側放熱板２３ｃａの温度と背面側放熱板２３ｃｂの温度との温度差を低減することにより、脱臭フィルタ２３ａａを前面側と背面側の両側から適切に加熱することができ、脱臭フィルタ２３ａａを適切に再生することができる。
【００８３】
ところで、実施例１の前面側放熱板２３ｃａと背面側放熱板２３ｃｂとは、貫通孔２３ａｄを介して接触しているが、接触していなくてもよい。脱臭ユニット２３は、前面側放熱板２３ｃａと背面側放熱板２３ｃｂとが貫通孔２３ａｄを介して接触していない場合でも、ＰＴＣヒータ２３ｂが脱臭フィルタ部２３ａの外周側に配置されると共に、前面側放熱板２３ｃａと背面側放熱板２３ｃｂの両方が外周側でＰＴＣヒータ２３ｂに接触していることにより、脱臭フィルタ２３ａａを高効率に加熱することができる。
【実施例２】
【００８４】
ところで、既述のＰＴＣヒータ２３ｂは、仮想平面３０に重なるように配置されているが、仮想平面３０に重ならないように配置されてもよい。図１５は、実施例２の吸着ユニットのフィルタ再生部を示す断面図である。実施例２のフィルタ再生部５１は、図１５に示されているように、前面側放熱板５２と背面側放熱板５３とＰＴＣヒータ５４とを備えている。前面側放熱板５２は、脱臭フィルタ部２３ａの一部を前面側から覆っている。背面側放熱板５３は、脱臭フィルタ部２３ａの一部を背面側から覆っている。背面側放熱板５３は、一端が脱臭フィルタ部２３ａの外周側を通って、前面側放熱板５２に接合されている。背面側放熱板５３は、さらに、他端が脱臭フィルタ部２３ａの貫通孔２３ａｄに挿入され、前面側放熱板５２に接合されている。
【００８５】
ＰＴＣヒータ５４は、脱臭フィルタ部２３ａの外周側に配置されている。すなわち、ＰＴＣヒータ５４は、板状に形成された脱臭フィルタ部２３ａが配置されているときに、脱臭フィルタ部２３ａと平行な仮想平面５５に対して、ＰＴＣヒータ５４を正射影した図形が、脱臭フィルタ部２３ａを仮想平面５５に正射影した図形に重ならないように、配置されている。ＰＴＣヒータ５４は、さらに、前面側放熱板５２の前面側に配置されている。すなわち、ＰＴＣヒータ５４は、脱臭フィルタ部２３ａが仮想平面５５に沿って重なるように配置されているときに、仮想平面５５と重ならないように、配置されている。
【００８６】
実施例２の脱臭ユニットも、ＰＴＣヒータ５４が脱臭フィルタ部２３ａの外周側に配置されることにより、脱臭フィルタ２３ａａを通過する空気によりＰＴＣヒータ５４が冷却されにくい。このため、実施例２のフィルタ再生部５１が設けられた脱臭ユニットは、放熱板を高効率に加熱することができ、脱臭フィルタ２３ａａを高効率に加熱することができる。
【実施例３】
【００８７】
図１６は、実施例３の吸着ユニットのフィルタ再生部を示す断面図である。実施例３のフィルタ再生部６１は、図１６に示されているように、前面側放熱板６２と背面側放熱板６３とＰＴＣヒータ６４とを備えている。前面側放熱板６２と背面側放熱板６３とは、同様の形状に形成され、一端が屈曲している。前面側放熱板６２は、脱臭フィルタ部２３ａの一部を前面側から覆っている。背面側放熱板６３は、脱臭フィルタ部２３ａの一部を背面側から覆っている。前面側放熱板６２の屈曲している一端と背面側放熱板６３の屈曲している一端とは、他端が脱臭フィルタ部２３ａの貫通孔２３ａｄに挿入され、互いに接合されている。
【００８８】
ＰＴＣヒータ６４は、脱臭フィルタ部２３ａの外周側に配置され、前面側放熱板６２と背面側放熱板６３との間に配置されている。すなわち、ＰＴＣヒータ６４は、脱臭フィルタ部２３ａが仮想平面６５に沿って重なるように配置されているときに、ＰＴＣヒータ６４を仮想平面６５に正射影した図形が、脱臭フィルタ部２３ａを仮想平面６５に正射影した図形に重ならないように、配置されている。ＰＴＣヒータ６４は、さらに、脱臭フィルタ部２３ａが仮想平面６５に沿って重なるように配置されているときに、仮想平面６５と重なるように、配置されている。
【００８９】
実施例３のフィルタ再生部６１が設けられた脱臭ユニットも、ＰＴＣヒータ６４が脱臭フィルタ部２３ａの外周側に配置されることにより、脱臭フィルタ２３ａａを通過する空気によりＰＴＣヒータ６４が冷却されにくい。このため、実施例３のフィルタ再生部６１が設けられた脱臭ユニットは、放熱板を高効率に加熱することができ、脱臭フィルタ２３ａａを高効率に加熱することができる。
【００９０】
実施例３の脱臭ユニットは、背面側放熱板６３の形状が、前面側放熱板６２の形状に等しい。このような脱臭ユニットは、背面側放熱板６３と前面側放熱板６２との形状が等しいことにより、背面側放熱板６３と前面側放熱板６２とが同様の工程で作製されることができ、容易に作製されることができる。
【実施例４】
【００９１】
図１７は、実施例４の吸着ユニットのフィルタ再生部を示す断面図である。実施例４の吸着ユニットのフィルタ再生部７１は、図１７に示されているように、前面側放熱板７２と背面側放熱板７３とＰＴＣヒータ７４とを備えている。前面側放熱板７２は、脱臭フィルタ部２３ａの一部を前面側から覆っている。背面側放熱板７３は、脱臭フィルタ部２３ａの一部を背面側から覆っている。背面側放熱板７３は、一端が脱臭フィルタ部２３ａの外周側を通って、前面側放熱板７２に接合されている。背面側放熱板７３は、さらに、他端が脱臭フィルタ部２３ａの貫通孔２３ａｄに挿入され、前面側放熱板７２に接合されている。ＰＴＣヒータ７４は、脱臭フィルタ部２３ａの外周側に配置され、前面側放熱板７２と背面側放熱板７３との間に配置されている。
【００９２】
図１８は、実施例４の吸着ユニットの背面側放熱板を示す斜視図である。背面側放熱板７３は、図１８に示されているように、前面側放熱板７２に対向する面に複数の突起７６が形成されている。ＰＴＣヒータ７４は、前面側当接面７４１１と背面側当接面７４１２と４つの側面７４２１〜７４２４とを有する。背面側当接面７４１２は、前面側当接面７４１１の反対側である。４つの側面７４２１〜７４２４は、それぞれ、前面側当接面７４１１と背面側当接面７４１２との間に配置され、前面側当接面７４１１と背面側当接面７４１２とに隣接している。複数の突起７６は、背面側当接面７４１２が背面側放熱板７３に当接するときに、ＰＴＣヒータ７４を囲むように設けられ、４つの側面７４２１〜７４２４にそれぞれ当接するように設けられている。
【００９３】
図１９は、実施例４の吸着ユニットのフィルタ再生部を示す斜視図である。複数の突起７６は、図１９に示されているように、ＰＴＣヒータ７４の背面側当接面７４１２が背面側放熱板７３に当接するときに、ＰＴＣヒータ７４を囲み、４つの側面７４２１〜７４２４に当接している。
【００９４】
ＰＴＣヒータ７４は、実施例４の吸着ユニットのフィルタ再生部が組み立てられるときに、まず、背面側当接面７４１２が背面側放熱板７３に当接するように、背面側放熱板７３に取り付けられる。ＰＴＣヒータ７４が取り付けられた背面側放熱板７３は、脱臭フィルタ部２３ａの一部が前面側放熱板７２と背面側放熱板７３との間に挟まれて配置されるように、前面側放熱板７２に接合されることにより、実施例４の吸着ユニットのフィルタ再生部に組み立てられる。ＰＴＣヒータ７４は、背面側放熱板７３が前面側放熱板７２に接合されることにより、前面側当接面７４１１が前面側放熱板７２に当接する。このとき、ＰＴＣヒータ７４は、背面側放熱板７３に取り付けられるときに４つの側面７４２１〜７４２４が複数の突起７６に当接するように背面側放熱板７３に取り付けられることにより、適切な位置に容易に位置決めされることができる。
【００９５】
実施例４の脱臭ユニットも、ＰＴＣヒータ７４が脱臭フィルタ部２３ａの外周側に配置されることにより、脱臭フィルタ２３ａａを通過する空気によりＰＴＣヒータ７４が冷却されにくい。このため、実施例４のフィルタ再生部７１が設けられた脱臭ユニットは、放熱板を高効率に加熱することができ、脱臭フィルタ２３ａａを高効率に加熱することができる。
【００９６】
実施例４の脱臭ユニットは、背面側放熱板７３に、ＰＴＣヒータ７４に接触する複数の突起７６が形成されている。複数の突起７６は、ＰＴＣヒータ７４を囲むように設けられているので、ＰＴＣヒータ７４は、複数の突起７６に当接するように背面側放熱板７３に取り付けられることにより、背面側放熱板７３の適切な位置に容易に位置決めされる。このような脱臭ユニットは、背面側放熱板７３のうちの所定の位置にＰＴＣヒータ７４が容易に位置決めされることができることにより、容易に作製されることができる。
【００９７】
なお、以上説明した実施形態では、前面側放熱板および背面側放熱板は、脱臭フィルタ２３ａａの貫通孔２３ａｄを介して接触しているが、貫通孔２３ａｄで接触しなくてもよい。脱臭ユニットは、前面側放熱板および背面側放熱板が貫通孔２３ａｄで接触しない場合でも、ＰＴＣヒータ２３ｂが脱臭フィルタ２３ａａの外周側に配置されることにより、放熱板を高効率に加熱することができ、脱臭フィルタ２３ａａを高効率に加熱ことができる。さらに、前面側放熱板および背面側放熱板は、略三角形状に形成されている場合について説明したが、これに限られるものではなく、扇形や長方形等、脱臭フィルタ部２３ａの一部を覆うことができる形状であればよい。
【００９８】
なお、以上説明した実施形態では、脱臭ユニットは、前面側放熱板と背面側放熱板との両方を備えているが、これに限られるものではなく、一方が省略されていてもよい。脱臭ユニットは、さらに、前面側放熱板と背面側放熱板との一方が省略されたときに、代わりに反射板が設けられてもよい。その反射板は、ＰＴＣヒータに対向する面に反射面が形成され、ＰＴＣヒータから発される熱線が脱臭フィルタに照射されるように、その熱線を反射することにより、脱臭フィルタを加熱する。脱臭ユニットは、前面側放熱板と背面側放熱板との一方が省略された場合でも、ＰＴＣヒータが脱臭フィルタ部の外周側に配置されることにより、脱臭フィルタを高効率に加熱することができる。この場合、ＰＴＣヒータ２３ｂは、仮想平面３０と重ならない位置（たとえば、前面側放熱板２３ｃａのカバー対向面２３ｃａｂまたは背面側放熱板２３ｃｂのカバー対向面２３ｃｃｂに当接する位置）に配置されてもよい。
【００９９】
なお、実施形態の吸着ユニットに設けられるＰＴＣヒータは、放熱量制御を行わない他のヒータに置換されてもよい。このような脱臭ユニットも、ＰＴＣヒータが脱臭フィルタ部の外周側に配置されることにより、脱臭フィルタを高効率に加熱することができる。
【０１００】
ところで、実施形態の吸着ユニットは、脱臭ユニット２３として空気清浄機１に設けられて空気を脱臭することに利用されているが、脱臭以外の用途に利用されてもよい。その用途としては、除湿が例示される。実施形態の吸着ユニットは、除湿に利用されるときに、脱臭ユニット２３の脱臭フィルタ２３ａａに設けられる触媒が乾燥剤に置換されている。乾燥剤は、脱臭フィルタ２３ａａを通過する空気から水分を吸着し、加熱されることによりその吸着された水分を脱離し再生される。このような乾燥剤としては、ゼオライトが例示される。実施形態の吸着ユニットは、除湿に利用される場合でも、脱臭フィルタ２３ａａを高効率に加熱することにより、脱臭フィルタ２３ａａを高効率に再生することができる。
【符号の説明】
【０１０１】
１  ：空気清浄機
１０：通風路
２２：集塵ユニット
２３：脱臭ユニット
２３ａ：脱臭フィルタ部
２３ａａ：脱臭フィルタ
２３ａｃ：外周部フィルタカバー
２３ａｄ：貫通孔
２３ａｅ：内周部フィルタカバー
２３ｂ：ＰＴＣヒータ
２３ｃ：放熱板
２３ｃａ：前面側放熱板
２３ｃｂ：背面側放熱板
２３ｆ：フィルタ再生部
２３ｇ：保持部
２３ｈ：駆動部
２４：加湿ユニット
２５：送風機
３０：仮想平面
３１：第１外周部フィルタカバー部
３２：第２外周部フィルタカバー部
３３：第１筒部
３４：歯車部
３５：第１歯車フランジ部
３６：第２筒部
３７：第２歯車フランジ部
３８：複数の孔
３９：複数の爪
４１：脱臭フィルタの背面側放熱板対向面
４２：脱臭フィルタの前面側放熱板対向面
４３：フィルタ端面
４５：外周部フィルタカバーの背面側放熱板対向面
４６：外周部フィルタカバーの前面側放熱板対向面
４７：フィルタ端面対向面
５１：実施例２のフィルタ再生部
５２：前面側放熱板
５３：背面側放熱板
５４：ＰＴＣヒータ
５５：仮想平面
６１：実施例３のフィルタ再生部
６２：前面側放熱板
６３：背面側放熱板
６４：ＰＴＣヒータ
６５：仮想平面
７１：フィルタ再生部
７２：前面側放熱板
７３：背面側放熱板
７４：ＰＴＣヒータ
７６：複数の突起
【図１】
2018015719.tif 000003
【図２】
2018015719.tif 000004
【図３】
2018015719.tif 000005
【図４】
2018015719.tif 000006
【図５】
2018015719.tif 000007
【図６】
2018015719.tif 000008
【図７】
2018015719.tif 000009
【図８Ａ】
2018015719.tif 000010
【図８Ｂ】
2018015719.tif 000011
【図９】
2018015719.tif 000012
【図１０】
2018015719.tif 000013
【図１１】
2018015719.tif 000014
【図１２】
2018015719.tif 000015
【図１３】
2018015719.tif 000016
【図１４】
2018015719.tif 000017
【図１５】
2018015719.tif 000018
【図１６】
2018015719.tif 000019
【図１７】
2018015719.tif 000020
【図１８】
2018015719.tif 000021
【図１９】
2018015719.tif 000022